(57)【要約】【課題】入力される複数系統の放送信号の同期を行い、複数系統の信号から１つの信号を選択して出力する機能を有する信号の切替装置を得る。【解決手段】信号切替装置を第１の記憶回路７１と、第２の記憶回路７２と、信号切替手段７３とで構成する。第１の記憶回路７１は記憶手段７４を備え、第２の記憶回路７２は記憶手段７５をそれぞれ備えている。記憶手段７４または記憶手段７５は入力される放送信号に含まれる所定の順序のデータの記憶および出力を行う。信号切替手段７３は第１の記憶回路７１および第２の記憶回路７２から出力されたデータのうちいずれか一方を選択して出力する。また、第１の記憶回路７１または第２の記憶回路７２のいずれか一方のデータが所定の基準を満たした場合にデータの出力が行われる。第１の記憶回路７１と第２の記憶回路７２は所定の順序のデータのうち同一順序のデータを同時に出力する。【選択図】      図５
2014099685.tif 000002
【特許請求の範囲】
【請求項１】
入力される放送信号に含まれる所定の順序のデータを記憶する手段および前記データを前記所定の順序で出力する手段を有する記憶手段をそれぞれ備える第１の記憶回路および第２の記憶回路と、
前記第１の記憶回路の前記記憶手段および第２の記憶回路の前記記憶手段から出力された前記データのうちいずれか一方を選択して出力する信号切替手段とを備え、
前記第１の記憶回路または第２の記憶回路の前記記憶手段のいずれか一方に入力された前記データが所定の基準を満たした場合に、前記第１の記憶回路の前記記憶手段と前記第２の記憶回路の前記記憶手段はそれぞれ記憶している前記所定の順序のデータのうち同一順序のデータを同時に出力することを特徴とする信号切替装置。
【請求項２】
前記第１の記憶回路および前記第２の記憶回路は、入力される前記放送信号に含まれる前記所定の順序のデータの異常の有無を検出する検出手段をさらに備え、
前記第１の記憶回路または前記第２の記憶回路のいずれか一方の前記検出手段が前記所定の順序のデータの異常を検出した場合に、前記信号切替手段は前記第１の記憶回路または前記第２の記憶回路のうち異常の発生していない方からのデータを選択して出力することを特徴とする請求項１に記載の信号切替装置。
【請求項３】
前記第１の記憶回路および前記第２の記憶回路の前記記憶手段は、前記検出手段において前記所定の順序のデータの異常を検出した場合に、データの記憶および出力を一時停止する手段をさらに有し、
前記第１の記憶回路または前記第２の記憶回路の前記記憶手段がデータの記憶および出力を一時停止した場合に、データの記憶および出力を一時停止した方の前記記憶手段を有している前記第１の記憶回路または前記第２の記憶回路の前記検出手段が前記所定の順序のデータに異常がないことを検出した後に、データの記憶および出力を一時停止した前記記憶手段がデータの記憶および出力を再開することを特徴とする請求項２の記載の信号切替装置。
【請求項４】
前記所定の基準がパケットの数またはパケットのデータ量により設定されていることを特徴とする請求項１から３いずれかに記載の信号切替装置。
【請求項５】
前記記憶手段からの前記所定の順序のデータの出力において所定の量のデータの出力が連続的に行われることを特徴とする請求項１から４いずれかに記載の信号切替装置。
【請求項６】
放送信号の複数の伝送経路を備え、前記複数の伝送経路で伝送された前記放送信号が請求項１から５いずれかに記載の信号切替装置に入力されることを特徴とする放送信号の伝送システム。
【請求項７】
第１の記憶回路および第２の記憶回路に放送信号を入力し、
前記第１の記憶回路および前記第２の記憶回路は前記放送信号に含まれる所定の順序のデータをそれぞれ記憶し、
前記第１の記憶回路または前記第２の記憶回路のいずれか一方に入力された前記データが所定の基準を満たした場合に、前記第１の記憶回路と前記第２の記憶回路はそれぞれ記憶している前記所定の順序のデータのうち同一順序のデータを出力信号として同時に出力し、
前記第１の記憶回路および前記第２の記憶回路からの前記出力信号のうちいずれか一方を選択して出力することを特徴とする信号切替方法。
【請求項８】
前記第１の記憶回路および前記第２の記憶回路に入力される前記放送信号に含まれる前記所定の順序のデータを記憶する前に、前記第１の記憶回路および前記第２の記憶回路に入力される前記放送信号に含まれる前記所定の順序のデータの異常の有無を検出し、
前記第１の記憶回路または前記第２の記憶回路のいずれか一方で異常を検出した場合に、前記第１の記憶回路または前記第２の記憶回路のうち異常の発生していない方のデータを選択して出力することを特徴とする請求項７に記載の信号切替方法。
【請求項９】
前記第１の記憶回路または前記第２の記憶回路は前記所定の順序のデータの異常を検出した場合にデータの記憶および出力を一時停止し、
データの記憶および出力を一時停止した方の前記第１の記憶回路または前記第２の記憶回路はさらに入力されてくる前記所定の順序のデータに異常がないことを検出した後に、データの記憶および出力を再開することを特徴とする請求項８に記載の信号切替方法。
【請求項１０】
前記第１の記憶回路または前記第２の記憶回路に記憶した前記所定の順序のデータの出力において、所定の量のデータの出力を連続的に行うことを特徴とする請求項７から９いずれかに記載の信号切替方法。
【発明の詳細な説明】
【技術分野】
【０００１】
本発明は、放送信号の伝送技術に関するものであり、特に放送用のＴＳ（Transport Stream）信号の切替装置に関するものである。
【背景技術】
【０００２】
高画質の映像放送やデータ放送等の発達とともに、その放送品質を維持するため放送信号を確実に伝送する必要性が高まっている。放送信号の伝送の品質を維持するためには、伝送に用いられる経路や装置に異常を生じさせないことが重要であるが、同時に、放送信号に異常が発生した際にその異常の影響を小さくすることも重要である。
【０００３】
放送信号の伝送時等に発生する放送信号の異常の影響を抑制するための対応の１つとして、同じ情報を含む信号を複数系統で送り冗長化させることがあげられる。その際、複数系統の放送信号を送信しただけでは不十分であり、異常が発生したときなどに複数系統の放送信号を切り替えて正常な信号を使用するための技術が必要である。そのため、異常が発生した際などに放送信号の系統を切り替えるための信号切替装置に関する技術開発が盛んに行われている。放送信号に異常が発生した際などの信号の切り替えに用いられる信号切替装置としては、例えば、特許文献１に開示されているような信号切替装置がある。
【０００４】
特許文献１には放送信号を解析し、異常を検出した際に信号を切り替える装置が開示されている。特許文献１の信号切替装置では、放送信号を構成するパケットのヘッダ部分を解析し、パケットに含まれるデータの異常の有無により信号の異常の検出を行う。特許文献１の信号切替装置には複数の放送信号が入力されている。複数の系統のうち使用している１つの系統で異常が検出された際にはスイッチの切り替えにより、他の系統の正常なデータとの置き換えが行われ正常な信号が出力される。
【０００５】
特許文献２には、信号に含まれるデータ情報の異常を監視し、異常を検出した際にスイッチを切り替えて正常な信号を流す放送信号の切替装置が示されている。特許文献２では、パケットに含まれる識別用の数値が順に増加するかの監視などの方法でデータの異常の有無を検出するとしている。
【先行技術文献】
【特許文献】
【０００６】
【特許文献１】特開２０１０−３４９７１号公報
【特許文献２】特開２００８−２８３４７６号公報
【発明の概要】
【発明が解決しようとする課題】
【０００７】
しかしながら、特許文献１に開示された技術には次のような課題がある。特許文献１の技術ではパケットに含まれる異常を検出し、異常の発生したパケットを他の系統のパケットで置き換えている。しかしながら、複数系統の信号を同期して出力するための方法については開示されていない。また、特許文献２においても、異常の発生した信号から異常の発生していない信号へと切り替えているが、複数の系統から受信する信号を同期して置き換える方法についての詳細は開示されていない。よって、特許文献１または特許文献２に記載された技術では、信号の同期手段を別途用いないと放送信号に異常が発生したときなどに、信号の欠落等を起こさずに代わりの信号をシームレスに出力するための技術としては不十分なことがある。一般的に、信号の同期はルビジウム発振器等からのクロック信号を用いて行われることが多いがそれらは高価である。また、発振器等を用いることにより装置の構成が複雑となることがある。そのため、引用文献１または２の技術に発振器等を用いた信号の同期方法を組み合わせても、高価なものや構成が複雑な信号の切替装置のみしか得ることができない。
【０００８】
本発明では、発振器等がなく基準となるクロック信号が入力されない構成においても複数系統での信号の位相差を吸収し、シームレスな信号切替機能を有する切替装置を得ることを目的としている。
【課題を解決するための手段】
【０００９】
上記の課題を解決するため、本発明の信号切替装置は第１の記憶回路と、第２の記憶回路と、信号切替手段とを備えている。第１の記憶回路および第２の記憶回路は記憶手段をそれぞれ備えている。記憶手段は入力される放送信号に含まれる所定の順序のデータの記憶およびデータの所定の順序での出力を行う。信号切替手段は第１の記憶回路および第２の記憶回路から出力されたデータのうちいずれか一方を選択して出力する。また、第１の記憶回路または第２の記憶回路の記憶手段のいずれか一方に入力されたデータが所定の基準を満たした場合に、記憶手段からのデータの出力が行われる。データの出力の際、第１の記憶回路の記憶手段と第２の記憶回路の記憶手段はそれぞれ記憶しているデータのうち同一順序のデータを同時に出力する。
【発明の効果】
【００１０】
本発明の信号切替装置では複数の経路に入力される信号のデータが記憶され、いずれかの経路に入力されたデータが所定の基準を満たしたとき、各経路の記憶手段から同時にデータ出力が行われる。また、記憶手段から出力されたデータは信号切替のスイッチにより１つの経路の信号のデータが選択されて出力される。その結果、複数系統から入力される信号の位相差を吸収し、シームレスな信号の切り替えを行い信号を出力することができる。また、本発明では、信号が入力されるタイミングを基準として出力を行うため、基準となるクロック信号の入力を必要としない。クロック信号の入力が不要なため発振器等の素子を必要とせず装置構成を簡素化することができる。
【図面の簡単な説明】
【００１１】
【図１】本発明の第１の実施形態の構成の概要を示す図である。
【図２】本発明の第１の実施形態におけるデータの例を示す図である。
【図３】本発明の第２の実施形態の構成の概要を示す図である。
【図４】本発明の第３の実施形態の構成の概要を示す図である。
【図５】本発明の第４の実施形態の構成の概要を示す図である。
【発明を実施するための形態】
【００１２】
本発明の第１の実施形態について図１を参照して詳細に説明する。図１は本実施形態の信号切替装置１０の構成の概要を示したものである。信号切替装置１０は第１の入力監視部１１と、第１の調整メモリ部１２と、第２の入力監視部１３と、第２の調整メモリ部１４と、信号切替部１５とを備えている。信号切替装置１０は、さらに、切替制御部１６と、メモリ監視部１７と、メモリ制御部１８とを備えている。
【００１３】
第１の入力監視部１１は入力されるＴＳ信号を監視し、ＴＳ信号の異常の有無を検出する機能を有する。また、第１の入力監視部１１はＴＳ信号に含まれるデータから異常を検出したときに切替制御部１６に対して、異常の発生を示す情報を送信する機能を有する。第１の調整メモリ部１２は、第１の入力監視部１１から出力される信号に含まれるデータを記憶する機能を有する。また、第１の調整メモリ部１２はメモリ制御部１８の指示に応じて、記憶しているデータの出力および消去を行う機能を有する。本実施形態では第１の入力監視部１１に入力され第１の調整メモリ部１２から出力される信号の経路を、第１の経路６１と呼ぶことにする。第２の入力監視部１３は第１の入力監視部１１と同様の機能を有する。第２の調整メモリ部１４は第１の調整メモリ部１２と同様の機能を有する。本実施形態においては第２の入力監視部１３に入力され第２の調整メモリ部１４から出力される信号の経路を第２の経路６２と呼ぶことにする。信号切替部１５は第１の経路６１と第２の経路６２から入力される信号のどちらか一方を、切替制御部１６からの指示に基づいて選択して出力する機能を有する。
【００１４】
切替制御部１６は第１の入力監視部１１および第２の入力監視部１３から異常の発生を示す情報を受信する機能を有する。切替制御部１６は異常の発生を示す情報を受信すると、信号切替部１５が異常が検出された経路と現在の経路が同じかを判断する。切替制御部１６は異常の発生した経路と現在の経路が同じと判断したとき、信号切替部１５に異常の発生していない信号の経路へと切り替える指示を送る。メモリ監視部１７は第１の調整メモリ部１２および第２の調整メモリ部１４に記憶されているデータの内容やデータの量を監視する機能を有する。メモリ監視部１７は第１の調整メモリ部１２および第２の調整メモリ部１４へ入力されるデータが所定の基準を満たした場合に、そのことを示す情報をメモリ制御部１８へ送信する。メモリ制御部１８は第１の調整メモリ部１２および第２の調整メモリ部１４へ入力されたデータの記憶、記憶されているデータの出力および消去等の指示を送る機能を有する。
【００１５】
本実施形態の信号切替装置１０に入力されるＴＳ信号は、ＴＳ形式のＴＳパケットで構成される信号である。１つのＴＳパケットは、１８８ｂｙｔｅまたは２０４ｂｙｔｅのデータで構成されている。また、放送信号としてはＭＰＥＧ−２（Moving Picture Experts Group）等の規格に基づいた信号が用いられる。
【００１６】
第１の経路６１の第１の入力監視部１１と第２の経路６２の第２の入力監視部１３にＴＳ信号が入力されたとする。第１の経路６１に入力される信号と第２の経路６２に入力される信号は、伝送路での信号の遅延の影響を受けて位相がずれていることがある。入力されてくるＴＳ信号は第１の入力監視部１１または第２の入力監視部１３をそれぞれ通過した後に、第１の調整メモリ部１２または第２の調整メモリ部１４に送られる。第１の調整メモリ部１２または第２の調整メモリ部１４に送られた信号に含まれるデータは、それぞれ第１の調整メモリ部１２または第２の調整メモリ部１４に記憶される。
【００１７】
ＴＳ信号を構成する先頭のパケットを検出してから所定の基準のパケットが入力され、さらに１パケット分のデータが第２の経路６２に入力されたとする。所定の基準はデータ量やパケット数によりあらかじめ設定されている。所定の基準は、例えば、パケットの入力のタイミングのずれ、すなわち位相のずれ等を吸収するのに適切なデータ量の固定の遅延分とそれに一定の値を加えたデータ量として設定することができる。例えば、固定の遅延分に相当する量を１．５パケット分のデータ量とし、さらに１パケット分を加えたデータ量を所定の基準として設定することができる。本実施形態では固定の遅延分に相当する１．５パケット分に、さらに１パケット分を加えたデータ量が所定の基準として設定されているとする。所定の基準に相当するパケットのデータが入力されると、メモリ監視部１７は所定の基準を満たすパケットが入力されたことを示す情報をメモリ制御部１８へと送る。メモリ制御部１８は、所定の基準を満したことを示す情報を受信すると、第１の調整メモリ部１２および第２の調整メモリ部１４に対して、第２の経路６２にパケットが入力されるタイミング合わせ、先頭のパケットのデータを出力する指示を送る。第１の調整メモリ部１２および第２の調整メモリ部１４はデータを出力する指示を受けると、パケット形式でのデータの出力を行う。その際、パケットの出力はバースト的に行われる。
【００１８】
第１の調整メモリ部１２および第２の調整メモリ部１４は、第１の経路６１および第２の経路６２にパケットが入力されるタイミングに合わせて出力を開始している。第１の調整メモリ部１２および第２の調整メモリ部１４は同時にデータの出力を開始するため、両方の経路から出力されるＴＳ信号は同位相となる。また、第１の調整メモリ部１２および第２の調整メモリ部１４からのデータの出力はバースト的、すなわち、１パケット分を連続的に出力する方式で行われる。入力時は１Byte毎などにデータの入力が行われ、出力時はデータの出力がバースト的に行われる。よって、入力に比べて出力の方が早く、第１の調整メモリ部１２および第２の調整メモリ部１４において記憶容量が不足することはない。
【００１９】
本実施形態の信号切替装置１０では、第１の経路６１および第２の経路６２へのパケットの入力のタイミングに合わせて、第１の記憶部１２および第２の記憶部１４からパケットを出力している。そのため、２つの経路において出力されるパケットの位相を同期するために、クロック信号の入力を必要としていない。クロック信号の入力が不要となることにより、ルビジウム発振器等を備える必要がなくなり装置構成の簡素化が可能となる。
【００２０】
本実施形態において、第１の経路６１および第２の経路６２にパケット形式のＴＳ信号が入力され、第１の調整メモリ部１２および第２の調整メモリ部１４から出力される場合の例について図２に示した。図２の最上段は第１の経路６１側に入力されるＴＳ信号に含まれるパケットを示したものである。また、図２の上から２段目は、第２の経路６２に入力されるＴＳ信号に含まれるパケットを示したものである。図２の３段目と４段目は第１の経路６１の第１の調整メモリ部１２と第２の経路６２の第２の調整メモリ部１４から出力されるＴＳパケットの例を示したものである。第１の経路６１と第２の経路６２に入力される信号の位相は図２に示すように一致していない。本実施形態では、１．５パケット分のデータが固定遅延分として設定されているとしている。また、本実施形態では、１．５パケット分の固定遅延にさらに１パケット分を足した分が所定の基準として設定されているため、所定の基準は３パケット目でその条件が満たされる。
【００２１】
第２の経路６４において、所定の基準を満たすパケットの先頭データが第２の調整メモリ部１４へ入力されると、所定の基準の条件を満たしたことを示す情報がメモリ制御部１８へと送られる。メモリ制御部１８は所定の基準を満たしたとの情報を受信すると、第１の調整メモリ部１２および第２の調整メモリ部１４に対して、記憶されているデータのうち先頭パケットに相当するデータを出力する指示を送る。第１の調整メモリ部１２および第２の調整メモリ部１４はデータを出力する指示を受けると、記憶しているデータをＴＳパケット形式でバースト的に出力する。メモリ制御部１８からの指示に対応して、第１の調整メモリ部１２および第２の調整メモリ部１４から同時にデータが出力されるため、出力されるデータの位相はそろっている。第１の調整メモリ部１２および第２の調整メモリ部１４に記憶されている２パケット目は、第２の経路６２側の第２の調整メモリ１４に次のパケットが入力された段階で出力が開始される。３パケット目以降もさらにその次の１パケットの入力が始まるごとに順次出力が行われる。また、入力のタイミングに合わせ、ＴＳパケットのデータの出力をバースト的に行うため、調整メモリ部の破たんが生じることはない。
【００２２】
信号切替装置１０に入力されるＴＳ信号に含まれるデータの異常の有無を監視し、異常が検出された場合に信号の経路の切り替えが行われる場合の動作について説明する。信号切替装置１０に２つの経路からＴＳ信号が入力され、それぞれ第１の経路６１と第２の経路６２に入力されたとする。２つの経路から入力される信号はそれぞれ同じ内容のデータを含むパケットで構成される信号である。第1の経路６１の第１の入力監視部１１および第２の経路６２の第２の入力監視部１３は入力されるＴＳ信号に含まれるパケットのデータの異常の有無を監視している。第１の入力監視部１１に異常のあるデータが入力され、第１の入力監視部１１が異常を検知したとする。異常の検知は、例えば、ヘッダ部に規格に沿わないデータが含まれている場合やパケットに付加されている番号が連番とならなかった場合に行われる。
【００２３】
第１の入力監視部１１は異常を検出すると信号切替部１５に対して、異常の発生を示す情報を送信する。信号切替部１５は異常の発生を示す情報を受信すると、異常の発生が現在の信号が流れている経路なのか、もう一方の経路なのかの判断を行う。現在の経路が第１の経路６１からの信号を流す経路であった場合は、信号切替部１５は信号の経路を第２の経路６２側からの経路へと切り替える。現在の経路が第２の経路６１からの経路であった場合には、信号切替部１５は信号の経路に切り替えは行わない。信号切替部１５が経路の切り替えを行うことにより異常のある第１の経路６１側からの信号に代えて正常である第２の経路６２側からの信号を後の経路へと流すことができる。その結果、信号切替装置１０から出力される信号は正常なデータを含むＴＳパケットによって構成される信号となる。
【００２４】
本実施形態の信号切替装置では、２つの経路のうちの一方の調整メモリ部に所定の基準を満たすパケットが入力されたときに、２つの経路の各調整メモリ部からのパケットの出力を同時に、かつ、バースト的に行っている。一方の経路への入力のタイミングに合わせ、両方の経路の調整メモリ部からの出力を行うため、出力されるパケットの位相は同期されている。また、出力をバースト的に行うことにより調整メモリ部の破たんは生じない。その結果、本実施形態の信号切替装置では２つの経路に入力される信号の位相差を吸収し、シームレスな信号の切り替えを行い信号を出力することができる。また、異常が検出された際に、異常の発生した経路の信号からそれと同期しているもう一方の経路の信号に切り替えることにより、異常が発生した際も信号が途切れることなく信号の出力を行うことができる。異常の発生があった場合にも、信号の欠落等がなく正常な信号を選択して出力することができ、放送信号の伝送の品質を高めることができる。
【００２５】
本実施形態の信号切替装置では、信号の入力のタイミングに合わせて出力の同期を行うため、同期のためのクロック信号の入力を必要としない。それにより、クロック信号を入力するためのルビジウム発振器等が不要となり装置構成の簡素化が可能となる。
【００２６】
本発明の第２の実施形態について図３を参照して詳細に説明する。図３は本実施形態の信号切替装置２０の構成の概要を示したものである。第１の実施形態においては、ＴＳ信号に含まれるデータから異常を検出した際に、入力監視部から直接情報を送信して信号切替装置の経路の切り替えを行った。本実施形態では制御部で調整メモリ部の制御と信号切替部の制御を組み合わせて行い、より正確な信号の切り替えを行っている。
【００２７】
本実施形態の信号切替装置２０は第１の入力監視部２１と、第１の調整メモリ部２２と、第２の入力監視部２３と、第２の調整メモリ部２４と、信号切替部２５と、メモリ制御部２６と、制御部２７とを備えている。
【００２８】
第１の入力監視部２１は入力されるＴＳ信号を監視し、ＴＳ信号に含まれるデータの異常の有無を検出する機能を有する。また、第１の入力監視部２１は異常を検出したときに制御部２７に対して、異常の発生を示す情報を送信する機能を有する。第１の調整メモリ部２２は、第１の入力監視部２１から出力される信号に含まれるデータを記憶する機能を有する。また、第１の調整メモリ部２２はメモリ制御部２６の指示に応じて、記憶しているデータの出力および消去を行う機能を有する。本実施形態では第1の入力監視部２１と第１の調整メモリ部２２で構成される信号の経路を第１の経路６３と呼ぶことにする。第２の入力監視部２３は第１の入力監視部２１と同様の機能を有する。第２の調整メモリ部２４は第１の調整メモリ部２２と同様の機能を有する。また、第２の入力監視部２３と第２の調整メモリ部２４で構成される信号の経路を第２の経路６４と呼ぶことにする。信号切替部２５は第１の経路６３と第２の経路６４から入力される信号のどちらか一方を、制御部２７からの指示に基づいて選択して出力するスイッチ機能を有する。
【００２９】
メモリ制御部２６は第１の調整メモリ部２２および第２の調整メモリ部２４に記憶されているデータを監視する機能を有する。メモリ制御部２６は第１の調整メモリ部２２と第２の調整メモリ部２４へデータの書き込みによる記憶、読み出しによる出力および消去等の指示を示す信号を送る機能を有する。本実施形態の信号切替装置２０におけるデータの記憶および出力等は第１の実施形態の信号切替装置１０と同様に行われる。すなわち、第１の経路６３から出力されるパケットと第２の経路６４から出力されるパケットは同期されている。
【００３０】
制御部２７は信号切替装置２０の各部位の制御を行う機能を有する。制御部２７は第１の入力監視部２１と第２の入力監視部２３からの異常を示す情報を基に、メモリ制御部２６と信号切替部２５を制御して、信号経路の切り替えを行う機能を有する。
【００３１】
本実施形態の信号切替装置２０において、入力された信号を構成するパケットのデータから異常が検出され、経路の切り替えが行われる際の動作について説明する。最初の段階においては、信号切替部２５では第１の経路６３側の信号が選択されて出力されているとして説明する。
【００３２】
第１の経路６３の第１の入力監視部２１が入力されたＴＳ信号のＴＳ形式のパケットに含まれるデータの異常を検出したとする。第１の入力監視部２１は異常を検出した情報を制御部２７へと送る。制御部２７は異常が発生した情報を受信すると、第1の経路６３側で異常が発生した情報をメモリ制御部２６に対して送る。また、同時に信号切替部25に対して信号の経路を第２の経路６４側へと切り替える指示を送る。信号切替部２５は信号の経路を切り替える指示を受けると、第２の経路６４側の信号を選択して出力するように切り替えを行う。信号切替部２５により信号の経路が切り替わり第1の経路６３側からの信号から第２の経路６４側からの信号へと切り替えられるが、その際、信号は同期されているため欠落等は生じない。よって、ＴＳパケットで構成される信号のシームレスな切り替えが可能となる。メモリ制御部２６は第1の経路６３側に異常が発生した情報を受けると、第１の調整メモリ部２２に対して入力されるパケットに含まれるデータの記憶と記憶しているデータの出力を停止する指示を送る。第１の調整メモリ部２２はデータの記録と出力を停止する指示を受けると、入力されてくるパケットの記憶を停止する。よって、第1の調整メモリ部２２には異常の発生したパケットは記憶されない。また、同時に第1の調整メモリ部２２は記憶しているデータの出力も停止する。
【００３３】
異常が発生した次のパケットが入力され第1の入力監視部２１がそのパケットは正常であることを検知すると、第1の入力監視部２１は制御部２７に正常な信号である情報を送信する。制御部２７は第１の入力監視部２１から信号が正常である情報を受信すると、メモリ制御部２６に対して、第1の調整メモリ部２２でのデータの記憶と出力を再開する情報を送る。メモリ制御部２６はデータの記憶と出力を再開する情報を受けると、第１の調整メモリ部２２に対して入力されるパケットのデータの記憶と出力を再開する指示を送る。第１の調整メモリ部２２はデータの記憶を再開する指示を受けると、パケットのデータの記憶を再開する。また、第１の調整メモリ部２２はメモリ制御部２６からの指示に合わせてデータの出力を再開する。そのとき、メモリ制御部２６は第２の調整メモリ部２４から同一のデータが出力されるタイミングに合わせて、第1の調整メモリ部２２にデータの出力を行う指示を送る。その際、第２の経路６４側への入力タイミングに合わせた、信号の同期も同時に考慮される。
【００３４】
第1の入力監視部２１が異常の発生した次のパケットからも異常を検知した場合は、第1の調整メモリ部２２においてデータの記憶および出力されない状態は継続される。第１の入力監視部２１に正常なデータを含むパケットが入力されるまでは、第２の経路６４側のみでデータの記憶と出力が進められる。また、第１の経路６３側の第1の調整メモリ部２２からのデータの出力が再開される際は、第２の経路６４側へのパケットの入力タイミングに合わせて行われる。すなわち、第1の調整メモリ部２２と第２の調整メモリ部２４から同期されてＴＳパケットが出力される。
【００３５】
上記の例では第１の経路６３側で異常が発生した例を示したが、第２の経路６４側で異常が発生した際も、同様の方法で第1の経路６３側への経路の切り替えが行われる。
【００３６】
本実施形態の信号切替装置では、第１の実施形態と同様に２つの系統から入力されるＴＳ信号の監視を行い、一方の経路に所定の基準を満たすパケットが入力されたときに、両方の経路の調整メモリ部から同時にパケットの出力を行っている。また、入力されるＴＳ信号のパケットのデータに異常が検出された際には、もう一方の正常な経路へと切り替えて出力が行われる。本実施形態では、入力されるＴＳ信号のパケットのデータから異常が検出された際に、異常が検出された側の経路でのパケットのデータの記憶が停止される。調整メモリ部に異常を含むパケットのデータが記憶されないため、出力の際に異常のあるデータを含むパケットが誤って出力されてしまうことは起こらない。そのため、信号切替装置からの正常なデータの出力をより確実に行うことができる。以上により、入力されるＴＳ信号に異常が発生した際も信号が途切れることなく、正常な信号の出力を行うことができ、放送信号の伝送品質を向上することができる。
【００３７】
本発明の第３の実施形態について図４を参照して詳細に説明する。図４は本実施形態のＴＳ信号の伝送システムの構成の概要を示したものである。第１および第２の実施形態では信号切替装置について示したが、本実施形態はそれらの信号切替装置を備えた放送用のＴＳ信号の伝送システムに関するものである。
【００３８】
本実施系形態のＴＳ信号の伝送システムは送信ユニット３０と、第１の受信ユニット４１と、第２の受信ユニット４２とを備えている。送信ユニット３０から第１の受信ユニット４１へは第１の伝送経路５１を介して放送信号が伝送される。また、送信ユニット３０から第２の受信ユニット４１へは第２の伝送経路５２を介してＴＳ信号が伝送される。
【００３９】
送信ユニット３０は、放送信号送信装置３１と、第１の多重化装置３２と、第２の多重化装置３３と、第１の信号切替装置３４と、分配器３５と、発振器３６とを備えている。放送信号送信装置３１は放送事業者等において放送番組用のＴＳ信号を送信するための装置であり、複数の系統のＴＳ信号が出力されている。第１の多重化装置３２および第２の多重化装置３３は複数の系統のＴＳ信号がそれぞれ入力され、入力されたＴＳ信号を多重化して１つのＴＳ信号として出力する機能を有する。第１の信号切替装置３４は第１の多重化装置３２または第２の多重化装置３３のどちらか一方の信号を選択して出力する機能を有する。分配器３５は第１の信号切替装置３４からのＴＳ信号を分配し複数の経路へと出力する機能を有する。本実施形態では、分配器３５は入力されたＴＳ信号を分配し第１の伝送経路５１と第２の伝送経路５２へとＴＳ信号を出力する。分配時は多重化された信号の分割等は行われず、分配前のＴＳ信号と分配後の各ＴＳ信号が含むデータは同一である。発振器３６は第１の多重化装置３２、第２の多重化装置３３および第１の信号切替装置３４で信号の同期を行うためのクロック信号を出力する機能を有する。発振器３６には、例えば、ルビジウム発振器を用いることができる。
【００４０】
第１の受信ユニット４１は第２の信号切替装置４３とその他の必要な装置で構成されている。第２の受信ユニット４２も第３の信号切替装置４４とその他の必要な装置で構成されている。その他の必要な装置とは、例えば、第１の受信ユニット４１が送信設備に設置されている場合には信号の増幅器、送信信号を生成する装置、アンテナ関連装置等などのことをいう。また、第２の信号切替装置４３および第３の信号切替装置４４には第１の実施形態で示した信号切替装置または第２の実施形態で示した信号切替装置を用いることができる。第２の信号切替装置４３および第３の信号切替装置４４に用いる信号切替装置は同じものでもよく、また、それぞれ異なっていてもよい。
【００４１】
本実施形態のＴＳ信号の伝送システムにおいて、ＴＳ信号が伝送され受信ユニットの信号切替装置で信号が選択される際の動作について説明する。放送信号送信装置３１から放送番組等の複数のＴＳ信号が出力され、それぞれの信号は第１の多重化装置３２および第２の多重化装置３３に入力される。第１の多重化装置３２および第２の多重化装置３３は入力された複数のＴＳ信号を多重化して１つのＴＳ信号として出力する。第１の多重化装置３２および第２の多重化装置３３から出力されたＴＳ信号は、第１の信号切替装置３４に入力される。第１の信号切替装置３４は第１の多重化装置３２または第２の多重化装置３３からの信号のいずれか一方を選択して出力する。また、第１の多重化装置３２、第２の多重化装置３３および第１の信号切替装置４３には発振器３６からクロック信号が入力され、そのクロック信号を基に各信号は同期されている。分配器３５は第１の信号切替装置４３からの信号を複数の経路へのＴＳ信号として分配して出力する。分配器３５で分配される前後でＴＳ信号に含まれるデータは同一である。本実施形態では分配器３５で分配されたＴＳ信号は第１の伝送経路５１と第２の伝送経路５２へと出力される。
【００４２】
送信ユニット３０から出力されたＴＳ信号は第１の伝送経路５１または第２の伝送経路５２をそれぞれ通り、第１の受信ユニット４１または第２の受信ユニット４２へと送られる。第１の伝送経路５１には分配器が設置されており、ＴＳ信号は分配されて第１の受信ユニット４１および第２の受信ユニット４２へと入力される。また、第２の伝送経路５２にも分配器が設置されており、ＴＳ信号は分配されて第１の受信ユニット４１および第２の受信ユニット４２へと入力される。第１の受信ユニット４１には第１の伝送経路５１および第２の伝送経路５２からＴＳ信号が入力される。また、第２の受信ユニット４２にも第１の伝送経路５１および第２の伝送経路５２からＴＳ信号が入力される。第１の伝送経路５１からのＴＳ信号と第２の伝送経路５２からのＴＳ信号は、そのＴＳ信号に含まれるデータは同一であるが、伝送経路上の信号遅延等で位相がずれていることがある。
【００４３】
第１の受信ユニット４１に２つの伝送経路から入力されたＴＳ信号は、第２の信号切替装置４３へと入力される。第２の信号切替装置４３に信号が入力されると、第２の信号切替装置４３は第１の伝送経路５１から入力されたＴＳ信号または第２の伝送経路５２から入力されたＴＳ信号のどちらか一方を選択して出力する。第２の信号切替装置４３では、第１の実施形態または第２の実施形態の信号切替装置と同様の方法で入力された２系統の信号の同期が行われる。また、第２の信号切替装置４３では第１の実施形態または第２の実施形態の信号切替装置と同様に、選択されている経路側の信号で異常が発生した場合に、もう一方の系統の経路の信号への切り替えが行われる。以上により、第１の伝送経路５１および第２の伝送経路５２において生じる信号の位相差は第２の信号切替装置４３で補正されて同期される。また、第１の伝送経路５１および第２の伝送経路５２等において、信号に異常が発生した際は、第２の信号切替装置４３で正常な信号が選択されて出力される。第２の信号切替装置４３から出力されたＴＳ信号は第１の受信ユニット４１に備えられた次の装置へと入力される。
【００４４】
第２の受信ユニット４２に２つの伝送経路から入力されたＴＳ信号は、第３の信号切替装置４４へと入力される。第３の信号切替装置４４でも第１の伝送経路５１から入力されたＴＳ信号または第２の伝送経路５２から入力されたＴＳ信号のどちらか一方が選択されて出力される。第３の信号切替装置４４においても第１の実施形態または第２の実施形態の信号切替装置と同様に入力された２系統の信号の同期や正常な信号の選択が行われてＴＳ信号が出力される。第３の信号切替装置４４から出力されたＴＳ信号は第２の受信ユニット４２に備えられた次の装置へと入力される。
【００４５】
本実施形態のＴＳ信号の伝送システムを用いると伝送経路上等で信号の異常等が発生しても、受信ユニットの信号切替器において正常な信号が選択される。また、２つの系統の信号の同期を行って切り替えており、異常が発生して信号の系統の切り替えが行われても、出力される信号の断絶や欠落等は生じない。その結果、信号の伝送品質が高いＴＳ信号の伝送システムを得ることができる。
【００４６】
第１から第３の実施形態において、２つの経路の信号を切り替える信号切替装置またはそれを用いた放送信号の伝送システムの例を示したが、３つ以上の経路を備えた構成としてもよい。その場合は、複数の経路のうち１つの経路の調整メモリ部へのデータ入力を基準として、他の調整メモリ部からのデータの出力が同時に行われて、経路間の信号の同期が行われる。また、信号に含まれるデータから異常を検出した場合は、異常の発生していない他の経路への切り替えが行われる。
【００４７】
第１から第３の実施形態において、ＴＳ形式の放送信号の例を示したが他の形式の放送信号を用いてもよい。また、伝送される信号は放送信号でなく他の通信用の信号でもよい。
【００４８】
本発明の第４の実施形態について図５を参照して詳細に説明する。図５は本実施形態の信号切替装置の構成の概要を示したものである。本実施形態の信号切替装置は第１の記憶回路７１と、第２の記憶回路７２と、信号切替手段７３とを備えている。第１の記憶回路７１および第２の記憶回路７２は記憶手段７４または記憶手段７５をそれぞれ備えている。記憶手段７４および記憶手段７５は入力される放送信号に含まれる所定の順序のデータの記憶およびデータの所定の順序での出力を行う。信号切替手段７３は第１の記憶回路７１および第２の記憶回路７２から出力されたデータのうちいずれか一方を選択して出力する。また、第１の記憶回路７１記憶手段７４または第２の記憶回路７２の記憶手段７５のいずれか一方に入力されたデータが所定の基準を満たした場合に、記憶手段７４または記憶手段７５からのデータの出力が行われる。データの出力の際、第１の記憶回路７１の記憶手段７４と第２の記憶回路７２の記憶手段７５はそれぞれ記憶している所定の順序のデータのうち同一順序のデータを同時に出力する。
【００４９】
本実施形態の信号切替装置では、複数の経路に入力される信号のデータが記憶され、いずれかの経路に入力されたデータが所定の基準を満たしたとき、各経路の記憶手段から同時にデータ出力が行われる。また、記憶手段から出力されたデータは信号切替のスイッチにより１つの経路の信号のデータが選択されて出力される。その結果、複数系統から入力される信号の位相差を吸収し、シームレスな信号の切り替えを行い信号を出力することができる。また、本発明では、信号が入力されるタイミングを基準として出力を行うため、基準となるクロック信号の入力を必要としない。クロック信号の入力が不要なため発振器等の素子を必要とせず装置構成を簡素化することができる。
【産業上の利用可能性】
【００５０】
本発明は、放送局、中継基地、送信設備およびその他の放送関連設備で用いられる放送信号、特にＴＳ信号の切替装置等に利用することができる。
【符号の説明】
【００５１】
１０    信号切替装置
１１    第１の入力監視部
１２    第１の調整メモリ部
１３    第２の入力監視部
１４    第２の調整メモリ部
１５    信号切替部
１６    切替制御部
１７    メモリ監視部
１８    メモリ制御部
２０    信号切替装置
２１    第１の入力監視部
２２    第１の調整メモリ部
２３    第２の入力監視部
２４    第２の調整メモリ部
２５    信号切替部
２６    メモリ制御部
２７    制御部
３０    送信ユニット
３１    放送信号送信装置
３２    第１の多重化装置
３３    第２の多重化装置
３４    第１の信号切替装置
３５    分配器
３６    発振器
４１    第１の受信ユニット
４２    第２の受信ユニット
４３    第２の信号切替装置
４４    第３の信号切替装置
５１    第１の伝送経路
５２    第２の伝送経路
６１    第１の経路
６２    第２の経路
６３    第１の経路
６４    第２の経路
７１    第１の記憶回路
７２    第２の記憶回路
７３    信号切替手段
７４    記憶手段
７５    記憶手段
【図１】
2014099685.tif 000003
【図２】
2014099685.tif 000004
【図３】
2014099685.tif 000005
【図４】
2014099685.tif 000006
【図５】
2014099685.tif 000007